(57)【要約】【課題】連結ユニットとの連結により長さを無限に延長可能であり、または、多部品との掛け合い連結により多機能、多用途および快適に利用できるメリットを有し、複数の穴を有し、弾性を有する多機能バンドを提供する。【解決手段】弾性を有する材質で作られており、所定の長さと弾性を有する本体１１を備える。本体１１の両側に複数の貫通孔１３ａ、１３ｂ、１３ｃが形成されている。貫通孔１３ａ、１３ｂ、１３ｃは固定および結合に用いられる。【選択図】図１
0003204048.tif 000002
【実用新案登録請求の範囲】
【請求項１】
弾性を有する材質で作られており、所定の長さと弾性を有する本体を備え、
前記本体の両側に複数の貫通孔が形成されており、
前記貫通孔は固定および結合に用いられることを特徴とする多機能バンド。
【請求項２】
前記貫通孔と繋がっている少なくても一つの連結ユニットをさらに備え、
前記連結ユニットは、長さの延伸に用いられ、ストッパー、または、クリップとの連結に用いられることを特徴とする請求項１に記載の多機能バンド。
【請求項３】
前記本体は、板状であり、中間部がリング状であることを特徴とする請求項１に記載の多機能バンド。
【考案の詳細な説明】
【技術分野】
【０００１】
本考案は、連結縄に関し、特に多機能バンドに関する。
【背景技術】
【０００２】
メガネには現代人にとって生活中の一般用品になっていて、視力矯正の時に近視用メガネ、老眼鏡を掛けるほか、外出に日差し防止のサングラス、レジャー及びスポーツに利用するスポーツメガネもあり、よく見えることと目を守るため、メガネを掛けている時にはたくさんの不便を感じていても我慢しなければならなくて、特に徒歩、作業および運動中でのメガネ転落による損壊が最も恐れている状況である。
【０００３】
そのため、メガネのつるに通して固定するメガネチェーンが誕生して、即ちメガネとメガネを掛ける人の間にチェーンで連結することになり、万一メガネを落としてもチェーンで首に引っかかることで、転落による損壊から免れることができ、またはスポーツ用のチェーンはより短くなり、弾力性のあるバンドより作られ、メガネが揺れないように頭にフィットし、メガネの転落を防止することなど異なる使用目的によって異なる縄を取り換えなければならないため、不便に感じるのである。
【０００４】
また、水泳の時に使用する耳栓はただ泳者の耳に塞ぐだけであり、耳から水中に落としやすいため、よく補充品を買えなければならないのである。また、マスクなど耳に掛ける物は縄が緩ければ落としやすくなり、きつすぎであれば耳が痛くなり、掛けなくなる。イヤホンもヘッドホンでもインナーイヤホンでも、きつく塞ぎすぎるのと掛けすぎるのも耳の不快感を引き起こし、緩すぎれば落としてしまい、どうすれば良いのか分からない状況になるのである。
【０００５】
前述問題を解決するため、考案者が多年この関連業界で経験し、本考案を提出するのである。
【考案の概要】
【考案が解決しようとする課題】
【０００６】
本考案の目的は、連結ユニットとの連結により長さを無限に延長可能であり、または、多部品との掛け合い連結により多機能、多用途および快適に利用できるメリットを有し、複数の穴を有し、弾性を有する多機能バンドを提供することである。
【課題を解決するための手段】
【０００７】
多機能バンドは、弾性を有する材質で作られており、所定の長さと弾性を有する本体を備える。本体の両側に複数の貫通孔が形成されている。貫通孔は固定および結合に用いられる。
【０００８】
また、多機能バンドは、貫通孔と繋がっている少なくても一つの連結ユニットをさらに備える。連結ユニットは、長さの延伸に用いられ、ストッパー、または、クリップとの連結に用いられる。
【０００９】
また、本体は、板状であり、中間部がリング状である。
【図面の簡単な説明】
【００１０】
【図１】本考案の一実施形態の多機能バンドを示す斜視図である。
【図２】本考案の一実施形態の多機能バンドの使用状態を示す斜視図である。
【図３】本考案の一実施形態の多機能バンドの使用状態を示す斜視図である。
【図４】本考案の一実施形態の多機能バンドの使用状態を示す斜視図である。
【図５】本考案の一実施形態の多機能バンドの使用状態を示す斜視図である。
【考案を実施するための形態】
【００１１】
以下、図面に基づいて、本考案の一実施形態について詳しく説明する。
まず、図１を参照する。この考案の一実施形態である多機能バンド１０はシリコン、ゴムなど弾弾力性、延伸性のある材質で作られ、そして表面には適切な摩擦力を持っていて、また、幾何学形状の薄片状に設定した適切な長さがある本体１１を設けられており、本実施形態ではひし形で説明するように用いられ、より厚くて幅広いサイズを持ち、そして中心が中空部１１１であり、本体１１がユーザーの体の各部（頭部、頸部）と接触する時、弾力性のある引き締め作用力があるが、中空部１１１により接触して圧迫される面積が少なくなり、ユーザーの頭部に掛ける時、頭の形によってフィットし、どんな頭の形でもぴったりと貼付け、快適感と圧力解消の効果があり、また、本体１１の両側にそれぞれ複数の適当な大きさの貫通孔１３ａ、１３ｂ、１３ｃが設けられ、実際に貫通孔１３ａ、１３ｂ、１３ｃのどの貫通孔１３ａ、１３ｂ或いは１３ｃでも直接品物より通して固定することができるから、貫通孔の数が制限してはならず、そして、本考案の多機能バンド１０は弾力性のある材質で作られているため、貫通孔１３ａ、１３ｂ或いは１３ｃを重なって通すことができるから、更に本考案の多機能バンド１０の長さを短縮することができ、なお、長さを追加したい場合、もう一本の多機能バンド１０を利用して、両者にある貫通孔１３を持って、その他ユニット（図で未表示）を利用して連結させ、或いは互い連結し、無限に延伸できる目的を達すことができ、どの人にも適用するのである。
【００１２】
そのため、本考案の多機能バンド１０の使い道が幅広いのである。
【００１３】
図２を参照する。メガネ１を掛ける時に利用になる場合、メガネ１のつる１０１を本体１１両側の複数個の貫通孔１３ａ、１３ｂ、１３ｃを通し、ユーザーの必要な長さによって、貫通孔１３ａ、１３ｂ或いは１３ｃを重ねてからつる１０１を一回で通してから、メガネ１と本考案の多機能バンド１０を一体化に連結させ、そして、本考案の多機能バンド１０にはユーザーの首に掛ける時の長さを調整でき、或いは頭に掛ける時にしっかりと締めることができるため、徒歩中でも仕事中でも、或いはスポーツ中でもメガネの転落による損壊が発生せず、徹底的に従来の欠点を解決するのである。
【００１４】
図３を参照する。その他、本考案の多機能バンド１０には更にその両端の貫通孔１３にそれぞれ連結ユニット１５と連結して吊り掛け用途を提供しており、マスク３と合わせて利用する場合、貫通孔１３と連結する連結ユニット１５にはクリップ（連結方法には制限しておらず）であり、マスク３の二つ耳かけ３０１を引っ掛けて、また、本体１１でユーザーの頭部に貼り掛け、そして本体１１の両側にある貫通孔１３にはそれぞれクリップである連結ユニット１５を設けられ、マスク３の耳かけ３０１に連結し、口を覆う目的を完成するように耳かけ３０１がユーザーの耳に回っているが、従来マスクの耳かけが耳に掛けることによって発生する耳の痛み状況がなくなり、長時間の使用でも快適で利用できるメリットを提供している。
【００１５】
図４を参照する。本考案の多機能バンド１０には直接品物の梱包（ユニットを合わせて利用）にも利用でき、その弾力性、延伸性および表面の摩擦力によって確実に有効な梱包効果を得られる。
【００１６】
図５を参照する。本考案の多機能バンド１０には更に二つ吊り掛けユニット１７（吸盤あるいは吊り金具など連結方法は制限しておらず）と連結させ、二つ吊り掛けユニット１７によって壁に固定し、多機能バンド１０よりタオル、トイレットペーパー、雑誌など吊り掛け機能を提供し、ラック機能を得られる。
【００１７】
また、本考案の多機能バンドには多貫通孔の特性によって、適切な弾力性、延伸性の特性を持ち、たくさん品物（例えば、水泳用の耳栓、付け札、識別カード、アイウォーマー、イヤホン、紙ナプキン、歯科用エプロンなど）のバンドとして幅広い範囲で利用できるのである。
【００１８】
上述より本考案の多機能バンドは複数の貫通孔によって弾力性かつ延伸性を持つ構造として設けられ、その他連結ユニットあるいは吊り掛けユニットとの連結使用によって、メガネ、耳栓などたくさんの品物のバンドとして利用でき、または品物を吊り掛けるなど多種類の機能を提供し、そして、連結ユニットとの連結によって長さを無限に延伸することができるところから、予期した考案の目的を達成することができ、更に産業競争力を上げる効果を持っているのである。
【符号の説明】
【００１９】
１１  本体、
１３ａ、１３ｂ、１３ｃ  貫通孔。
【図１】
0003204048.tif 000003
【図２】
0003204048.tif 000004
【図３】
0003204048.tif 000005
【図４】
0003204048.tif 000006
【図５】
0003204048.tif 000007